(57)【要約】【課題】  重量を軽減して魚に針掛りしやすい釣針を提供すること。【解決手段】  屈曲部４の終端部側の太さに対して接続部２側の太さを漸次細くした軸部３と、その接線方向に接続部２が位置するように曲げられた針先部５とを有する釣針とする。軸部の太さを漸次細くしたことで、軸部を長くしても軽量の釣針となり、また、軸部を長くすることにより、針先部の接線と軸部とがなす角度を浅くすることができるため、針先部を軸部に対して開いた状態として針先部から軸部までのフトコロを広くとることができ、魚が吸い込み易く、魚に針掛りし易くすることができる。【選択図】  図１
2005333950.tif 000002
【特許請求の範囲】
【請求項１】
屈曲部（４）の終端部側の太さに対して接続部（２）側の太さを漸次細くした軸部（３）と、
その接線方向に接続部（２）が位置するように曲げられた針先部（５）と、
を有することを特徴とする釣針。
【請求項２】
軸部（３）の上端に設けた扁平な接続基部（６）に接続用孔（７）を設けた接続部（２）、
を有することを特徴とする請求項１に記載の釣針。
【請求項３】
釣針の下端部から接続部（２）までの高さを、釣針の下端部から針先部（５）までの高さの２倍以上としたことを特徴とする請求項１から２のいずれか１項に記載の釣針。
【請求項４】
屈曲部（４）の終端部側の太さに対して接続部（２）側の太さを漸次細くした軸部（３）と、
その接線方向に接続部（２）が位置するように曲げられた針先部（５）と、
を有する複数の釣針を相互に固定して形成したことを特徴とする、複数の針先部（５）を有する釣針。
【発明の詳細な説明】
【技術分野】
【０００１】
本発明は、単一又は複数の針先部を有する釣針に関する。
【背景技術】
【０００２】
従来、釣針の各部分の太さを変化させた釣針として、釣針の下端の屈曲部から針先部の部分の径を、前記下端の屈曲部から接続部の部分の径より太くした釣針が知られている（例えば特許文献１参照。）。
【特許文献１】特開２００１−２５１９９４公報
【発明の開示】
【発明が解決しようとする課題】
【０００３】
上記従来の釣針によれば、釣針の下端の屈曲部から接続部の部分の径より太くしたことにより、釣針の重量が増加する。重量を重くした釣針は、魚がルアーや餌に食い付いた場合に魚が吸い込みにくく、魚に針掛りしにくいという問題がある。
【０００４】
本発明は、前記の問題点に鑑みてなされたものであって、その目的は重量を軽減して魚に針掛りしやすい釣針を提供することである。
【課題を解決するための手段】
【０００５】
前記目的を達成するため、請求項１に記載の発明では、
屈曲部の終端部側の太さに対して接続部側の太さを漸次細くした軸部と、
その接線方向に接続部が位置するように曲げられた針先部と
を有する釣針とした。
【０００６】
請求項２に記載の発明では、請求項１に記載の発明において、
軸部の上端に設けた扁平な接続基部に接続用孔を設けた接続部、
を有する。
【０００７】
請求項３に記載の発明では、請求項１から２のいずれか１項に記載の発明において、
釣針の下端部から接続部までの高さを、釣針の下端部から針先部までの高さの２倍以上とした。
【０００８】
請求項４に記載の発明では、
屈曲部の終端部側の太さに対して接続部側の太さを漸次細くした軸部と、
その接線方向に接続部が位置するように曲げられた針先部と、
を有する複数の釣針を相互に固定して、複数の針先部を有する釣針とした。
【発明の効果】
【０００９】
従って、請求項１から請求項３に記載の発明によれば、軸部の太さを漸次細くしたことにより、軸部を長くしても軽量の釣針とすることができる。このため、魚が吸い込み易く、魚に針掛りし易くすることができる。
【００１０】
また、軸部を長くすることにより、針先部の接線と軸部とがなす角度を浅くすることができる。このため、針先部を軸部に対して開いた状態として針先部から軸部までのフトコロを広くとることができる。従って、魚に針掛りし易くすることができる。
【００１１】
また、接線方向に接続部が位置するように針先部が曲げられていることにより、接続部と針先部とが直線上に位置することとなる。このため、針先部に荷重が加わったときに荷重の作用線上に釣針の支点になる接続部が位置することとなり、針先部に荷重が加わった場合でも釣針が安定した状態となる。従って、釣針が縦方向や横方向に回転しにくく、針先部が逃げにくくなり、魚にしっかりと針掛りさせることができる。
【００１２】
軸部の太さは屈曲部の後端部から細くするため、屈曲部の太さは確保される。針先部に荷重が加わった場合において、屈曲部を伸ばす方向の力に対しては十分な強度を有する。また、針先部に荷重が加わった場合には、軸部には軸部に沿う方向の引っ張り力が作用する。軸部の太さを細くしてもこの方向の力に対しては十分な強度を有する。
【００１３】
請求項２に記載の発明によれば、軸部の先端に設けた扁平な接続基部に接続用孔を設けた接続部は、軸部の先端を環状に曲げて接続用孔を形成した接続部と比較して小さく作ることができ、釣針を軽くすることができる。このため、魚が吸い込み易く、魚に針掛りし易くすることができる。
【００１４】
請求項３に記載の発明によれば、釣針の下端部から接続部までの高さを、釣針の下端部から針先部までの高さの２倍以上としたことにより、針先部を十分に開いた状態とすることができ、針先部から軸部までのフトコロを広くとることができる。このため、魚に針掛りし易くすることができる。
【００１５】
請求項４に記載の発明によれば、複数の針先部を有する釣針を構成する各釣針の軸部の太さを漸次細くしたことにより、軸部を長くしても軽量の釣針とすることができる。このため、魚が吸い込み易く、魚に針掛りし易くすることができる。
【００１６】
また、各釣針の軸部を長くすることにより、各針先部の接線と軸部とがなす角度を浅くすることができる。このため、各針先部を軸部に対して開いた状態として針先部から軸部までのフトコロを広くとることができる。従って、魚に針掛りし易くすることができる。
【００１７】
また、各釣針は接線方向に接続部が位置するように針先部が曲げられていることにより、接続部と針先部とが直線上に位置することとなる。このため、各針先部に荷重が加わったときに荷重の作用線上に釣針の支点になる接続部が位置することとなり、針先部に荷重が加わった場合でも釣針が安定した状態となる。従って、各釣針が縦方向や横方向に回転しにくく、針先部が逃げにくくなり、魚にしっかりと針掛りさせることができる。
【００１８】
また、各釣針の軸部の太さは屈曲部の後端部から細くするため、屈曲部の太さは確保される。各針先部に荷重が加わった場合において、屈曲部を伸ばす方向の力に対しては十分な強度を有する。また、各針先部に荷重が加わった場合には、各軸部には軸部に沿う方向の引っ張り力が作用する。各軸部の太さを細くしてもこの方向の力に対しては十分な強度を有する。
【発明を実施するための最良の形態】
【００１９】
本発明を具体化した実施形態について図１から図５に従って説明する。以下の説明では、釣針１の接続部２側を上方とし、釣針の屈曲部４側を下方として説明する。
【実施例１】
【００２０】
本発明の実施例１に係る釣針１について、図１から図４に従って説明する。釣針１は断面円形の金属線材で形成されている。釣針１は接続部２、軸部３、屈曲部４及び針先部５を有する。
【００２１】
図１に示すように、前記軸部３は屈曲部４から連続して接続部２に至る部分であり、直線部分および僅かに湾曲した部分である。軸部３の直径は、屈曲部４に連続する部分では屈曲部４の終端部の直径と略同一である（図２参照。）。軸部３の太さは接続部２に向かうに従って漸次細くされ、テーパー状とされる。接続部２の直前部における軸部３の直径は、屈曲部４の直径の３分の２から２分の１程度とすることが好ましい（図３参照。）。
【００２２】
軸部３をテーパー状とする加工は、切削手段を用いて軸部３の側部の一部を切除するようにしてもよく、プレス手段を用いてもよい。プレス手段を用いる場合は、軸部３が長手方向に延伸するように加工し、釣針１の重量を増加させずに軸部３の長さを長くする。
【００２３】
また、軸部３の加工により、軸部３の断面形状が円形以外の形状となってもよい（図４参照。）。屈曲部４の終端部側における太さに対して、接続部２側における太さが漸次細くなっていればよい。
【００２４】
釣針１の下端部から接続部２までの高さは、釣針１の下端部から針先部５までの高さより十分高くする。好ましくは２倍以上とする。
【００２５】
針先部５は接続部２に向けて曲げられ、針先部５における接線方向に接続部２が位置するように曲げられる。釣針１の下端部から接続部２までの高さを、釣針１の下端部から針先部５までの高さより十分高くして、針先部５は軸部３に対して十分開いた状態とし、フトコロ８を広くとるようにする。ここでフトコロ８とは、軸部３から針先部５までの開いた部分の幅である（図１参照。）。
【００２６】
接続部２は、釣針１に釣糸を結ぶ部分である。図５に示すように、接続基部６は扁平に形成される。接続基部６は軸部３の上端部分においてプレス加工手段等を用いて形成される。接続基部６には接続用孔７が穿設される。
【００２７】
実施例１に係る釣針１によれば、以下の効果を有する。
【００２８】
（Ａ）軸部３の太さを漸次細くしたことにより、軸部３を長くしても軽量の釣針１とすることができる。このため、魚が吸い込み易く、魚に針掛りし易くすることができる。
【００２９】
（Ｂ）釣針１の下端部から接続部２までの高さを、釣針１の下端部から針先部５までの高さの２倍以上とすることにより、針先部５の接線と軸部３とがなす角度を浅くすることができる。このため、針先部５を軸部３に対して開いた状態として針先部５から軸部３までのフトコロ８を広くとることができる。従って、魚に針掛りし易くすることができる。
【００３０】
（Ｃ）針先部５の接線方向に接続部２が位置するように針先部５が曲げられていることにより、接続部２と針先部５とが直線上に位置することとなる。このため、針先部５に荷重が加わったときに荷重の作用線上に釣針１の支点になる接続部２が位置することとなり、針先部５に荷重が加わった場合でも釣針１が安定した状態となる。従って、釣針１が縦方向や横方向に回転しにくく、針先部５が逃げにくくなり、魚にしっかりと針掛りさせることができる。
【００３１】
（Ｄ）軸部３の太さは屈曲部４の後端部から細くするため、屈曲部４の太さを確保することができる。針先部５に荷重が加わった場合において、屈曲部４を伸ばす方向の力に対しては十分な強度を有する。また、針先部５に荷重が加わった場合には、軸部３には軸部３に沿う方向の引っ張り力が作用する。軸部３の太さを細くしてもこの方向の力に対しては十分な強度を有している。
【００３２】
（Ｅ）軸部３の先端に設けた扁平な接続基部６に接続用孔７を設けた接続部２は、軸部の先端を環状に曲げて接続用孔を形成した接続部と比較して小さく作ることができ、釣針１を軽くすることができる。このため、魚が吸い込み易く、魚に針掛りし易くすることができる。また、この接続部２は釣糸を接続した場合でも、かさばらない。従って、例えば釣糸に餌を通し、接続部２側から釣針１に餌を移動させる場合に、接続部２がかさばらないため、円滑に餌を移動させることができる。
【実施例２】
【００３３】
次に本発明の実施例２に係る、複数の針先部５を有する釣針について、図６に従って説明する。実施例２に係る複数の針先部５を有する釣針は３本の針先部５を有しており、いわゆるトリプルフックである。従って以下、トリプルフック９として説明する。トリプルフック９を構成する各釣針１について、実施例１の釣針１と共通する部分については同一符号を付して詳しい説明は省略する。
【００３４】
実施例２に係るトリプルフック９は、図６に示すように、３本の釣針１を相互に固定して形成されている。そのうち２本は接続部２を有しておらず、１本が接続部２を有している。３本の釣針１は隣合う釣針１と約１２０度の角度をなすように固定されている。固定手段は軸部３の一部をろう付けする手段である。
【００３５】
各釣針１の軸部３の直径は、屈曲部４に連続する部分では屈曲部４の終端部の直径と略同一とする。軸部３の太さはトリプルフック９の接続部２に向かうに従って漸次細くされ、テーパー状とする。
【００３６】
各釣針１の下端部からトリプルフック９の接続部２までの高さは、釣針１の下端部から針先部５までの高さより十分高くする。好ましくは２倍以上とする。
【００３７】
各釣針１の針先部５はトリプルフック９の接続部２に向けて曲げられ、針先部５における接線方向にトリプルフック９の接続部２が位置するように曲げられる。釣針１の下端部からトリプルフック９の接続部２までの高さを、釣針１の下端部から針先部５までの高さより十分高くして、針先部５は軸部３に対して十分開いた状態とし、フトコロ８を広くとるようにする。
【００３８】
実施例２に係るトリプルフック９によれば、以下の効果を有する。
【００３９】
（Ｆ）トリプルフック９を構成する各釣針１の軸部３の太さを漸次細くしたことにより、軸部３を長くしても軽量のトリプルフック９とすることができる。このため、魚が吸い込み易く、魚に針掛りし易くすることができる。
【００４０】
（Ｇ）トリプルフック９を構成する各釣針１の軸部３を長くしたため、各針先部５の接線と軸部３とがなす角度を浅くすることができる。このため、各針先部５を軸部３に対して開いた状態として針先部５から軸部３までのフトコロ８を広くとることができる。従って、魚に針掛りし易くすることができる。
【００４１】
（Ｈ）トリプルフック９を構成する各釣針１は接線方向に接続部２が位置するように針先部５が曲げられていることにより、接続部２と針先部５とが直線上に位置することとなる。このため、各針先部５に荷重が加わったときに荷重の作用線上に釣針１の支点になる接続部２が位置することとなり、針先部５に荷重が加わった場合でも各釣針１が安定した状態となる。従って、トリプルフック９が縦方向や横方向に回転しにくく、針先部５が逃げにくくなり、魚にしっかりと針掛りさせることができる。
【００４２】
（Ｉ）トリプルフック９を構成する各釣針１の軸部３の太さは屈曲部４の後端部から細くするため、屈曲部４の太さは確保される。各針先部５に荷重が加わった場合において、屈曲部４を伸ばす方向の力に対しては十分な強度を有する。また、各針先部５に荷重が加わった場合には、各軸部３には軸部３に沿う方向の引っ張り力が作用する。各軸部３の太さを細くしてもこの方向の力に対しては十分な強度を有する。
【００４３】
なお、前記実施の形態は上記各実施例の形状、寸法、本数等に限定されるものではない。針先部５、屈曲部４、軸部３の形状は、対象魚や釣法に応じて変更することができる。また、釣針はルアー用の釣針だけでなく、餌を付ける釣針とすることができる。
【００４４】
前記実施の形態から把握できる請求項記載以外の発明について、以下にその効果とともに記載する。
【００４５】
請求項４に記載の発明において、軸部３の先端に設けた扁平な接続基部６に接続用孔７を設けた接続部２を設ける。この場合、接続部２は、軸部３の先端を曲げて接続用孔７を形成した接続部２と比較して小さく作ることができ、釣針１を軽くすることができる。このため、魚が吸い込み易く、魚に針掛りし易くすることができる。
【００４６】
また、請求項４に記載の発明において、釣針１の下端部から接続部２までの高さを、釣針１の下端部から針先部５までの高さの２倍以上とする。この場合、各針先部５の接線と軸部３とがなす角度を浅くすることができる。このため、針先部５を軸部３に対して開いた状態として針先部５から軸部３までのフトコロ８を広くとることができる。従って、魚に針掛りし易くすることができる。
【図面の簡単な説明】
【００４７】
【図１】実施例１に係る釣針１の拡大正面図である。
【図２】図１の２−２線における拡大断面図である。
【図３】図１の３−３線における拡大断面図である。
【図４】他の例に係る軸部３の拡大断面図である。
【図５】図１のＡ方向から見た接続部２の拡大側面図である。
【図６】実施例２に係るトリプルフック９の拡大側面図である。
【符号の説明】
【００４８】
１      釣針
２      接続部
３      軸部
４      屈曲部
５      針先部
６      接続基部
７      接続用孔
８      フトコロ
９      トリプルフック
【図１】
2005333950.tif 000003
【図２】
2005333950.tif 000004
【図３】
2005333950.tif 000005
【図４】
2005333950.tif 000006
【図５】
2005333950.tif 000007
【図６】
2005333950.tif 000008